(57)【要約】      （修正有）【課題】トップロードに対する強度を確保することができると同時に、易開栓性と閉止性とを両立することができるプッシュプルキャップ並びにこれを備えた容器を提供する。【解決手段】上蓋１４の外表面は、上側から順に、略半球状の面４０からなる略半球エリア４２と、複数の板状のリブ４４が周方向に等間隔で配置されたリブエリア４６と、略半球状の面よりも小さい径の筒状周面４７からなるリブ無しエリア４８と、を有する。これら各エリアの合計高さＬ１に対する、リブエリア４６及びリブ無しエリア４８の各高さの合計高さＬ２の割合は０．４５〜０．７０に設定する。０．７０を超えると、高さＬ２の空間に物が入って、上蓋の予定しない上下動が誘発されて、閉止性に支障をきたす。他方、０．４５を下回ると、指を空間に挿入しにくくなり、上蓋の操作に支障をきたす。【選択図】図２
0003188446.tif 000002
【実用新案登録請求の範囲】
【請求項１】
注出口と、
容器の口部に装着されるキャップ本体と、
前記キャップ本体に上下方向に移動可能に装着される上蓋と、を備え、
前記キャップ本体に対して前記上蓋を上下動させることによって前記注出口が開閉するように構成されたプッシュプルキャップにおいて、
前記上蓋の外表面は、上側から順に、
略半球状の面からなり、当該上蓋の上端面を構成する略半球エリアと、
複数の板状のリブが周方向に等間隔で、且つ、当該リブのそれぞれの外表面が上端よりも下端の方が内側に位置するように配置されたリブエリアと、
前記略半球状の面よりも小さい径の筒状周面からなるリブ無しエリアと、を有し、
前記上蓋に関して以下の関係を満たす、プッシュプルキャップ。
Ｌ２／Ｌ１＝０．４５〜０．７０
ただし、Ｌ１は、略半球エリア、リブエリア及びリブ無しエリアの各高さを合計した上蓋の全高さであり、Ｌ２はリブエリア及びリブ無しエリアの各高さを合計したものである。
【請求項２】
前記半球状の面は、平坦面で形成された頂面と、前記頂面の外周縁から延びる球帯と、で構成されている、請求項１に記載のプッシュプルキャップ。
【請求項３】
前記注出口は、前記上蓋に貫通形成されたものであり、
前記キャップ本体は、前記注出口に嵌脱することで当該注出口を開閉する栓体を有しており、
前記上蓋は、前記注出口を画定する開口縁の高さがその周辺部の肉厚よりも大きい、請求項１又は２に記載のプッシュプルキャップ。
【請求項４】
前記開口縁の高さは、前記周辺部の肉厚の１．０５〜１．２０倍である、請求項３に記載のプッシュプルキャップ。
【請求項５】
請求項１ないし４のいずれか一項に記載のプッシュプルキャップと、
前記プッシュプルキャップのキャップ本体を着脱可能に装着する口部を有する容器と、を備えた、キャップ付き容器。
【考案の詳細な説明】
【技術分野】
【０００１】
本考案は、キャップ本体に対して上蓋を上下動させることによって注出口が開閉するプッシュプルキャップに関するものである。
【背景技術】
【０００２】
従来、この種のプッシュキャップは、洗剤等の液体を収容した容器の注出キャップとして使用されている。例えば特許文献１に記載のキャップでは、キャップ本体が容器の口部に嵌合しており、使用に際し、キャップ本体に対して上蓋を上方に引き上げることで、上蓋の注出口を開放し、液体を注出できるようにしている。
【先行技術文献】
【特許文献】
【０００３】
【特許文献１】実開昭４９−１４７２６３号公報
【考案の概要】
【考案が解決しようとする課題】
【０００４】
しかし、従来のプッシュプルキャップでは、容器の運搬・保管の際に作用するトップロード（縦圧縮荷重）に対する強度については検討されていなかった。具体的に説明すると、液体を充填された容器は、運搬・保管の際、数本〜数十本単位で段ボール箱に入れられ、段積みされるため、下段の容器のキャップには上段からのトップロードがかかる。この点、特許文献１の図３に示されるような、円錐形状の上面からなる上蓋では、トップロードに対する強度について改善の余地があった。
【０００５】
加えて、プッシュプルキャップは、使用時には容易に注出口を開放できる易開栓性を、非使用時には注出口が外力によって勝手に開放しないような閉止性を確保することが望まれる。しかし、この点についても従来は十分な検討がなされているとは言えなかった。例えば、上蓋の上下中間部に外方に突出する突起部を形成し、使用時に突起部を掴んで上蓋を引き上げ易いようにしたキャップが知られてはいるものの、かかるキャップでは、突起部の下側の空間が広くて物が入り易く、また、突起部にも物が当たり易い。このため、非使用時に、突起部に物が当たって上蓋が突き上げられることがあり、場合によっては液漏れすることが懸念される。
【０００６】
本考案は、以上の背景に鑑みてなされたものであり、その目的は、トップロードに対する強度を確保することができると同時に、易開栓性と閉止性とを両立することができるプッシュプルキャップ並びにこれを備えた容器を提供することである。
【課題を解決するための手段】
【０００７】
上記目的を達成するべく、本考案のプッシュプルキャップは、注出口と、容器の口部に装着されるキャップ本体と、キャップ本体に上下方向に移動可能に装着される上蓋と、を備え、キャップ本体に対して上蓋を上下動させることによって注出口が開閉するように構成されたプッシュプルキャップにおいて、上蓋の外表面は、上側から順に、略半球状の面からなり、当該上蓋の上端面を構成する略半球エリアと、複数の板状のリブが周方向に等間隔で、且つ、当該リブのそれぞれの外表面が上端よりも下端の方が内側に位置するように配置されたリブエリアと、略半球状の面よりも小さい径の筒状周面からなるリブ無しエリアと、を有し、上蓋に関してＬ２／Ｌ１＝０．４５〜０．７０を満たすものである。ただし、Ｌ１は、略半球エリア、リブエリア及びリブ無しエリアの各高さを合計した上蓋の全高さであり、Ｌ２はリブエリア及びリブ無しエリアの各高さを合計したものである。
【０００８】
また、上記目的を達成するべく、本考案のキャップ付き容器は、上述の本考案のプッシュプルキャップと、そのキャップ本体を着脱可能に装着する口部を有する容器と、を備えたものである。
【０００９】
本考案のプッシュプルキャップ及び容器によれば、上蓋の上端面が半球状の面から構成されているため、例えば水平面または傾斜面に比べて、トップロードに対する上蓋の強度を高めることができる。また、略半球エリアの下側に複数の板状のリブがあり、その複数の板状のリブを周方向に等間隔に配置しているので、上蓋の強度をより一層高めることができる。
【００１０】
加えて、上蓋を上下動させるために、使用者が指をリブエリアに添えて操作する際には、リブが滑り止めとして機能する。と同時に、リブエリアの下側にはリブ無しエリアがつながっており、リブ以外の筒状周面にも指を添えて操作することができるため、指に刺激を与えすぎずに済む。これにより、使用者の指には適度な接触感で滑り止めを発揮させることができるので、上蓋の操作し易さを使用者に実感させることも可能となる。
【００１１】
また、リブエリアではリブのそれぞれの外表面が上端よりも下端の方が内側に位置するように配置され、リブ無しエリアでは筒状周面が略半球状の面よりも小さい径となっているため、使用者は、略半球エリアよりも下側の空間に指を挿入した上で、上記操作をすることができる。これにより、このような空間がない場合に比べて上蓋の操作性を高めることができる。また、この空間が適切な大きさとなるように、Ｌ２／Ｌ１＝０．４５〜０．７０という高さ関係に設定している。Ｌ２／Ｌ１の上限値が０．７０を超えると、上記空間に物が入って上蓋に当たりやすく、上蓋の予定しない上下動が誘発されるおそれが高くなるため、閉止状態に支障をきたす。他方、Ｌ２／Ｌ１の下限値が０．４５を下回ると、上記空間が狭くなりすぎて、指を空間に挿入しにくくなるため、上蓋の操作に支障をきたす。すなわち、Ｌ２／Ｌ１＝０．４５〜０．７０とすることで、閉止性と易開栓性とをバランスよく確保することができるのである。
【００１２】
本考案の好ましい一態様によれば、半球状の面は、平坦面で形成された頂面と、頂面の外周縁から延びる球帯と、で構成されるとよい。こうすることで、略半球エリアはトップロードを点ではなく平坦な頂面で受けることができるため、トップロードに対する上蓋の強度をより一層高めることができる。
【００１３】
本考案の好ましい一態様によれば、注出口は、上蓋に貫通形成されたものであり、キャップ本体は、注出口に嵌脱することで当該注出口を開閉する栓体を有しており、上蓋は、注出口を画定する開口縁の高さがその周辺部の肉厚よりも大きいとよい。こうすることで、栓体が注出口から抜け難くなる。これにより、閉止状態において不用意に上蓋が可動して注出口が開放されてしまうことを抑制することができる。
【００１４】
この場合、開口縁の高さは、周辺部の肉厚の１．０５〜１．２０倍であることが好ましい。この下限値を下回ると、抜け難さを確保することが難しくなる一方、上限値を上回ると、上下動させる上蓋の操作量（ストローク）が多く必要となるため、操作性に支障をきたす上、プッシュプルキャップが大型化してしまうからである。
【図面の簡単な説明】
【００１５】
【図１】実施形態に係るプッシュプルキャップを備えた容器を示す斜視図であり、図１（ａ）は注出口を閉じた状態を示し、図１（ｂ）は注出口を開いた状態を示している。
【図２】図１のプッシュプルキャップの正面図である。
【図３】図２のIII-III線で切断した断面図である。
【図４】図２のプッシュプルキャップの上蓋について、リブを通らない位置（III-III線とは異なる位置）で切断した断面図である。
【考案を実施するための形態】
【００１６】
添付図面を参照して、本考案の好適な実施形態に係るプッシュプルキャップを備えた容器を説明する。
【００１７】
図１に示すように、容器１は、洗剤などの液体を収容するための容器本体２を備え、容器本体２の上部に形成された口部にプッシュプルキャップ１０（以下、単に「キャップ」という。）が設けられている。
【００１８】
図２〜４に示すように、キャップ１０は、容器本体２の口部に着脱可能に装着されるキャップ本体１２と、キャップ本体１２に上下方向に移動可能に装着された上蓋１４と、を備えている。キャップ本体１２に対して上蓋１４を上下動させることによって、キャップ１０の注出口１６（参照：図１（ｂ））が開閉される。
【００１９】
キャップ本体１２は、内周面にねじ山２０を形成した筒状周壁２２と、上蓋１４が装着されるガイド周壁２４と、筒状周壁２２の上端とガイド周壁２４の下端とをつなぐ環状の天壁２６と、を備えている。ねじ山２０は、容器本体２の口部のねじ山に螺合するようになっている。ガイド周壁２４は、筒状周壁２２よりも小さい径で略円筒状に形成されており、ガイド周壁２４の上端部には、僅かに外方に突出したストッパ部２７が形成されている。また、ガイド周壁２４の上下方向の中間部には段差２８が形成されており、段差２８の上側の筒部３０は下側の筒部３２よりも外径及び内径が小さく形成されている。上側の筒部３０には、注出口１６に嵌脱可能な栓体３４が上向きに突出形成されている。栓体３４は、下端部が放射状に３方向に延びて筒部３０の上部内周面に連結され、上端部が筒部３０の上端開口の中央部から上方に突出している。ガイド周壁２４と天壁２６との境界位置には、天壁２６から隆起した環状段部２９が形成されており、この環状段部２９に上側から上蓋１４が着座可能に構成されている。
【００２０】
上蓋１４は、全体としてマッシュルームのような外形を呈しており、外表面の違いで上下方向に領域分けすると、上側から順に、略半球状の面４０からなる略半球エリア４２と、複数のリブ４４が配置されたリブエリア４６と、略半球状の面４０よりも小さい径の筒状周面４７からなるリブ無しエリア４８と、に区分けすることができる。図２に示す高さＬ１は、略半球エリア４２、リブエリア４６及びリブ無しエリア４８の各高さを合計した上蓋１４の全高さであり、高さＬ２はリブエリア４６及びリブ無しエリア４８の各高さを合計したものである。本実施形態では、Ｌ２／Ｌ１＝０．５８に設定されている。
【００２１】
略半球状の面４０は、上蓋１４の上端面を構成するものであり、平坦面で形成された頂面５０と、頂面５０の外周縁から延びる球帯５２とで構成されている。頂面５０の中心には注出口１６が開口している。球帯５２は、上方に向かって凸となる曲面からなり、球帯５２の下端は、上蓋１４の最も幅が広くなって部分を構成している。
【００２２】
複数のリブ４４は、上蓋１４の周方向に等間隔で配置された板状部位からなる。リブ４４のそれぞれの外表面は、曲率の異なる２つの曲面６０，６２を上下につなげて構成されており、上端６４よりも下端６６の方が内側に位置している。上側の曲面６０は、曲率中心が上蓋１４の内側にある円弧面からなり、球帯５２の下端につながっている。下側の曲面６２は、曲率中心が上蓋１４の外側にある円弧面からなり、筒状周面４７の上端につながっている。
【００２３】
上蓋１４について断面積に着目すると、図４に示すように、上蓋１４は、外面に略半球状の面４０を有する傘状部分７０と、傘状部分７０の内周面から下方に延びる筒状部分７２と、を備えていると言える。傘状部分７０の中心には、開口縁７４によって画定された注出口１６が貫通形成されている。開口縁７４の高さＬ３は、開口縁７４につながる周辺部７６の肉厚Ｌ４よりも大きくなっている。なお、開口縁７４の肉厚Ｔ１は、周辺部７６の肉厚Ｌ４と同程度である。筒状部分７２の内周面には、僅かに内方に突出する係合段部８０が上下方向の中間部に形成されている。また、筒状部分７２の外周面は、上蓋１４の下端から上方に延びていく途中までを上述の筒状周面４７で構成され、筒状周面４７から上側の周面に上述の複数のリブ４４が外方に突出形成されている。なお、リブ４４は、傘状部分７０の下部内周面と筒状部分７２の上部外周面との間も連結している。
【００２４】
キャップ１０の閉栓状態では、栓体３４が開口縁７４に密着するように注出口１６に嵌合する。このとき、栓体３４の頂面と上蓋１４の頂面５０とが面一になる。と同時に、上蓋１４は、筒状部分７２の下側内周面がキャップ本体１２の下側の筒部３２に強密着する。また、上蓋１４の下端面がキャップ本体１２の環状段部２９に着座し、上蓋１４の係合段部８０がキャップ本体１２の段差２８に係合する。これにより、上蓋１４は自由状態ではキャップ本体１２に対して上動しないようになっている。
【００２５】
キャップ１０を開栓状態とするには、上蓋１４を上記の密着抵抗に抗してキャップ本体１２から引き上げるようにする。このとき、上蓋１４の上動はガイド周壁２４に沿って案内される。開栓状態では、注出口１６では栓体３４が抜け、注出口１６を介して容器本体２の内部と外部とが連通する。このとき、上蓋１４の下端内周面がキャップ本体１２の段差２８に係合して、上蓋１４は自由状態ではキャップ本体１２に対して下動しないようになる。また、上蓋１４の係合段部８０がキャップ本体１２のストッパ部２７によって上方への移動を規制されるため、上蓋１４がキャップ本体１２から上方へと抜けることが防止される。
【００２６】
以上説明した本実施形態のキャップ１０の作用効果を説明する。
【００２７】
まず、上蓋１４の上端面が半球状の面４０で構成されているため、キャップ１０付き容器１にトップロードがかかった場合、上蓋１４は圧縮力で抵抗することができる。これにより、上蓋１４の上端面を水平面または傾斜面で構成する場合に比べて、トップロードに対する上蓋１４の強度を高めることができる。また、半球状の面４０の頂面５０については平坦面としているため、トップロードを点ではなく面で受けることができる。よって、より一層、トップロードに対する上蓋１４の強度を高めることができる。さらに、半球状の面４０に複数のリブ４４をつなげ、しかも、この複数のリブ４４を周方向に等間隔に配置しているので、上蓋１４をバランスよく補強することができる。
【００２８】
加えて、開栓に際しては、使用者は指を上蓋１４のリブエリア４６及びリブ無しエリア４８の両方にあてがって、キャップ本体１２の天壁２６からの反力を利用するようにして上蓋１４を引き上げることができる。このとき、リブエリア４６ではリブ４４が滑り止めとして機能し、リブ無しエリア４８では筒状周面４７が指に刺激を与えないで済む。これにより、使用者の指には適度な接触感で滑り止めを発揮させることができるので、上蓋１４の操作し易さを使用者に実感させることができる。
【００２９】
また、開栓に際しては、使用者は、略半球エリア４２とリブエリア４６との境界から下側の空間に指を挿入した上で、上記の引き上げ操作をすることができる。これにより、このような空間がない場合に比べて、上蓋１４の操作性を高めることができる。とりわけ、この空間に関しては、Ｌ２／Ｌ１＝０．５８となっている。このような寸法関係とすることにより、大きすぎず、かつ、小さすぎない空間を構成することができる。この結果、指を空間に入れて上蓋１４を持ち上げる際の操作性の確保と、この空間から不用意に物が入って上蓋１４が持ち上がってしまうことの防止と、を両立させ易い。すなわち、上記寸法関係とすることで、易開栓性と閉止性とをバランスよく確保することができる。
【００３０】
さらに、閉栓状態では、上蓋１４の開口縁７４の高さＬ３が周辺部７６の肉厚Ｌ４よりも大きくなっている。通常の設計思想では両者を同程度の大きさにするが、その場合と比べると、栓体３４が注出口１６から抜け難くなる。これは、栓体３４と開口縁７４との摩擦抵抗が大きくなる上、栓体３４を開口縁７４から離脱させるのに大きなストロークが必要となるからである。したがって、閉栓状態において、上蓋１４が不用意に上動して注出口１６が開放されてしまうことを抑制することができる。
【００３１】
なお、高さＬ３は肉厚Ｌ４の１．０５〜１．２０倍であることが好ましい。この下限値を下回ると、抜け難さを確保することが難しくなるからである。また、この上限値を上回ると、上動させる上蓋１４のストロークが多く必要となり、操作性に支障をきたす上、キャップ１０が大型化してしまうからである。
【００３２】
以上、具体例を参照しつつ本考案の実施形態について説明した。しかし、本考案はこれらの具体例に限定されるものではない。すなわち、これら具体例に、当業者が適宜設計変更を加えたものも、本考案の特徴を備えている限り、本考案の範囲に包含される。例えば、前述した具体例が備える各要素およびその配置、形状、サイズなどは、例示したものに限定されるわけではなく適宜変更することができる。
【００３３】
例えば、上述のＬ２／Ｌ１については、Ｌ２／Ｌ１＝０．４５〜０．７０という高さ関係に設定することができる。本願の考案者の知見によれば、Ｌ２／Ｌ１の上限値が０．７０を超えると、上記空間に物が入って上蓋１４に当たりやすく、上蓋１４の予定しない上下動が誘発されて、閉止性に支障をきたす。他方、Ｌ２／Ｌ１の下限値が０．４５を下回ると、上記空間が狭くなりすぎて、指を空間に挿入しにくくなり、上蓋１４の操作に支障をきたす。したがって、閉止性と易開栓性とをバランスよく確保するという観点においては、Ｌ２／Ｌ１＝０．４５〜０．７０とする必要がある。
【符号の説明】
【００３４】
１：容器、  １０：プッシュプルキャップ、  １２：キャップ本体、  １４：上蓋、  １６：注出口、  ３４：栓体、  ４０：略半球状の面、  ４２：略半球エリア、  ４４：リブ、  ４６：リブエリア、  ４７：筒状周面、  ４８：リブ無しエリア、  ５０：頂面、  ５２：球帯、  ６４：上端、  ６６：下端、  ７４：開口縁、  ７６：周辺部
【図１】
0003188446.tif 000003
【図２】
0003188446.tif 000004
【図３】
0003188446.tif 000005
【図４】
0003188446.tif 000006